(57)【要約】【課題】建設時にサッシ窓、サッシドア、サッシ引き戸等を取り付ける前に、開口部下部にサッシとは別に成形した水受け部材を予め取り付けておき、その水受け部材に後付けのサッシ下部またはその一部を収納し、サッシ枠の縦枠等を伝わって来る雨水を水受け部材で受けて排水するサッシ枠下部水切り構造を提供する。【解決手段】建物のサッシ枠を取り付ける開口部の下辺に、サッシ取り付け前にサッシとは別に構成されサッシ枠下部を収納することができる水受け部材３を取り付け、この水受け部材３に、後付けのサッシ枠下部を収納することにより、サッシ枠下部から流下する雨水を水受け部材で受け、建物外部に流下させるべく構成したことを特徴とするサッシ枠下部水切り構造。【選択図】　　図３
2004011319.tif 000002
【特許請求の範囲】
【請求項１】
建物のサッシ枠を取り付ける開口部の下辺に、サッシ取り付け前にサッシとは別に構成されサッシ枠下部を収納することができる水受け部材を取り付け、この水受け部材に、後付けのサッシ枠下部を収納することにより、サッシ枠下部から流下する雨水、サッシ縦枠とサッシ下枠の接合不良による雨水の侵入を水受け部材で受け、建物外部に流下させるべく構成したことを特徴とするサッシ枠下部水切り構造。
【請求項２】
前記水受け部材は、受けた雨水が流下し易いように、建物への取り付け状態で、外側に向かって下方に傾斜している底部を備えていることを特徴とする請求項１に記載のサッシ枠下部水切り構造。
【請求項３】
前記水受け部材は、その両端にサッシの縦枠部を収納できるポケットを備えるとともに、水受け部材の軸線方向にサッシ枠下部のフランジを固定する立壁を有することを特徴とする請求項１または請求項２に記載のサッシ枠下部水切り構造。
【請求項４】
前記水受け部材は、プラスチック、アルミ等の材料を使用し型成形して構成したことを特徴とする請求項１〜請求項３の何れかに記載のサッシ枠下部水切り構造。
【発明の詳細な説明】
【０００１】
【発明の属する技術分野】
本発明は、建物躯体の窓や扉等の開口部に取付けたサッシ枠下部の水切り構造に関するものであり、特に、建設時にサッシ窓、サッシドア、サッシ引き戸等を取り付ける前に、開口部下部にサッシとは別に成形した水受け部材を予め取り付けておき、その水受け部材に後付けのサッシ枠下部またはその一部を収納し、サッシ枠の縦枠等を伝わって来る雨水を水受け部材で受けて排水することにより、サッシ枠下部の水切りを完全なものとするとともに、室内への漏水を完全に防止するようにしたサッシ枠下部水切り構造に関するものである。
【０００２】
【従来の技術】
建物躯体の窓開口部にサッシ窓を取付けた場合に、そのサッシ窓に沿って流れ落ちた雨水等が建物外壁に流れ落ち、建物外壁が汚れることがある。このために、サッシ窓の下部に水切り部材を取付け、その水切り部材を建物外壁よりも室外側に突出させることで、サッシ窓に沿って流れ落ちた雨水等が建物外壁に流れ落ちないようにしている。
【０００３】
この概略構造を図９、図１０を参照して説明すると、この例では、図に示すように建物躯体１０１の窓開口部１０２にサッシ窓１０３を取付け、このサッシ窓１０３の下枠１０４の下部に水切り部材１０５を取付け、その水切り部材１０５を建物外壁１０６よりも室外側に突出して配置している。この構造において、水切り部材１０５の長手方向に沿って雨水等が流れた場合、水切り部材１０５の長手方向両端部から流れ落ちた雨水等は建物外壁１０６に沿って流れてしまう。このため、この例では水切り部材１０５の長手方向両端部から雨水等が流れ落ちないように、図９に示すようにサッシ窓１０３の縦枠１０７と建物外壁１０６の縦端面１０６ａとの間にコーキング材１０８を充填している。このコーキング材１０８は図１０に示すように水切り部材５まで連続して取り付けてある。
【０００４】
【発明が解決しようとする課題】
しかしながら、下枠１０４は建物躯体１０１の室外面１０１ａよりも突出していると共に、その突出部分１０４ａと水切り部材１０５との間に形成される空間１０９の上下寸法が小さく、しかも空間１０９の奥行きが大きい（特に建物外壁が厚壁の場合には奥行きが大きい）ので、前述のコーキング材１０８を水切り部材１０５まで連続して下枠１０４の突出部分１０４ａと水切り部材１０５の長手方向両端部との間に充填しシールする作業が大変やりづらいという問題がある。さらに、長期間に渡っての使用によるコーキング材１０８の劣化が原因となる漏水等が発生する。
【０００５】
また、上記とは別に、従来の半田付けアルミサッシの窓枠の場合、縦枠および下枠の取り付け部のネジ締めつけ不良等があると、この部分からの雨水の漏水が発生する。またサッシ枠に工場等で予め塗布されているコーキング材（シーリング材）の永年使用による劣化、窓枠取り付け時の運搬によるネジ締め付け部分の損傷、およびアルミサッシへの雨水の吹きつけによる排水不足等が原因となるサッシ縦枠、下枠接合部分の漏水がある。こうした漏水は、室内への雨漏りの原因となる上に建物躯体部分をも損傷することになり、確実な対策が望まれている。しかし、現状ではサッシの縦枠、下枠の締めつけ部はコーキング材のみで対応しているだけであり、コーキング材の劣化に対する対策はなにもなされていない。
【０００６】
そこで、本発明は前述の課題を解決できるようにしたサッシ枠下部の水切り構造を提供することを目的とする。本発明は、建設時にサッシ窓、サッシドア、サッシ引き戸等のサッシ枠の下部に、サッシ枠とは別に成形した水受け部材を予め取り付けておき、その水受け部材にサッシ枠下部を収納できるようにし、サッシの縦枠等を伝わって来る雨水を水受け部材で受けて排水することで、サッシ枠下部の水切りを完全なものとする。またコーキング材の劣化、あるいはサッシのネジ締め付け不良、締め付け不足等による漏水があったとしても、水受け部材で確実に漏水を受けることにより、室内への漏水を完全に防止することができる。
【０００７】
【課題を解決するための手段】
このため本発明が採用した課題解決手段は、
建物のサッシ枠を取り付ける開口部の下辺に、サッシ取り付け前にサッシとは別に構成されサッシ枠下部を収納することができる水受け部材を取り付け、この水受け部材に、後付けのサッシ枠下部を収納することにより、サッシ枠下部から流下する雨水、サッシ縦枠とサッシ下枠の接合不良による雨水の侵入を水受け部材で受け、建物外部に流下させるべく構成したことを特徴とするサッシ枠下部水切り構造である。
また、前記水受け部材は、受けた雨水が流下し易いように、建物への取り付け状態で、外側に向かって下方に傾斜している底部を備えていることを特徴とするサッシ枠下部水切り構造である。
また、前記水受け部材は、その両端にサッシの縦枠部を収納できるポケットを備えるとともに、水受け部材の軸線方向にサッシ枠下部のフランジを固定する立壁を有することを特徴とするサッシ枠下部水切り構造である。
また、前記水受け部材は、、プラスチック、アルミ等の材料を使用し型成形して構成したことを特徴とするサッシ枠下部水切り構造である。
【０００８】
【実施の形態】
以下、本発明にかかるサッシ枠下部水切り構造の実施の形態を図面を参照して説明すると、図１は本発明の水受け部材を窓開口部に取り付けた状態の正面図、図２は本発明の水受け部材の斜視図、図３は建物開口部、水受け部材、サッシ枠の組み立て分解図、図４は水受け部材とサッシ枠との取り付けた状態に於ける平面図および正面図、図５は図４中のＡ−Ａ断面矢視図である。
尚、以下に説明する実施の形態でのサッシ枠はサッシ窓を対象としているが、ドアや引き戸等のサッシ枠にも適用できることは当然である。
【０００９】
図１において、１はサッシ枠、２はサッシ枠に取り付ける引き戸、３はサッシ枠の下部に取り付ける水受け部材であり、水受け部材３はサッシ枠１を建物開口部に組付ける前に予め建物の開口部に取り付けておくものである。
水受け部材３は図２に示すように、開口部の下辺の長さに対応した長さを有しており、この水受け部材３の両端には、サッシ枠の縦枠を収納、支持できるようにポケット４が形成されている。ポケット４はサッシ枠の縦枠の外側に形成されるフランジ５（図３参照）をも収納できる大きさとして形成しておく。また、ポケットを４形成する立壁６は図示のように左右ポケットを連結する部分の立壁７とも連続して形成されており、さらに左右ポケットからは水受け部材を建物開口部に取り付けた状態の後、建物外壁との隙間が生じないように立壁６が外壁側に向けて略円形からなる曲壁面６ａとして形成してある。また水受け部材３の底部は外壁側端面８が取り付け状態において前方に向けて下方に傾斜して形成され、水が下方流下し易い形状となっている。前記水受け部材３はポケット４と直線部とを別々に成形し、これらを溶接９することで一体物として成形しているが、水受け部材３は樹脂、アルミ材等により一体で成形することも可能であり、また板金等により折り曲げ、溶接ネジ止め等によって成形することも可能である。
【００１０】
上記構成からなる、水受け部材３を建物の開口部に取り付ける状態を説明すると、図３において（ハ）は建物開口部の斜視図である。この開口部には水受け部材の前記立壁７と結合される結合部材１０が設けられ、また開口部の柱１２の下方には、水受け部材３のポケット４の一部を収納できる凹部１１が形成されている。ただし、この凹部１１は建物開口部の寸法によっては不要となることがある。結合部材１０は木材などの適宜材料を利用して水受け部材３の立壁７の長さおよび高さに合わせて作り、窓開口部の下辺に水受け部材３の取り付け状態に合わせて予めクギ、接着材等を利用して固定する。本例の場合には図３（ハ）に示すように所定の寸法からなる断面四角形をした材木をクギによって開口部下部に取り付けてある。このように作られた建物の開口部に図３（ロ）に示す水受け部材３を取り付け固定する。この取り付け状態では、水受け部材３のポケット４が前記凹部１１に嵌合し、また水受け部材３の立壁７が結合部材１０の面１０ａに当接することになる。なおポケットと建物開口部との組み付け状態は上記したものに限定することなく、種々の形態を採用することができる。
【００１１】
このように水受け部材３を取り付けた状態で、建物開口部にサッシ枠１を組み付け、この時サッシ枠１を水受け部材３内に嵌め込む。この状態では、サッシ枠の縦枠１ａと下枠１ｂとの結合部がポケット４に嵌合し、またサッシ枠１の下枠１ｂの下方に突出しているフランジ１ｃが水受け部材３の立壁７に外側から当接する。このように組付けた状態でネジ等を利用してサッシ枠１と水受け部材３および結合部材１０を一体に固定する。
【００１２】
以上の構成からなるサッシ枠下部水切り構造では、図４、図５に示すようにサッシ枠１の縦枠、下枠の結合部が水受け部材３内に収納されるとともにサッシ枠１の下枠の下方に突出したフランジ１ｃが水受け部材３の立壁７の外側（建物外壁側）に当接固定されるため、サッシ枠１を伝わって下方に流下する水滴は全て水受け部材３で受けとめられ、水受け部材３を介して建物外壁側に排出されることになる。この結果、建物への漏水を完全に防止することができ、またサッシ枠１のネジの緩み、組付け不良、コーキング材の劣化が発生しても、サッシ枠を伝わって下方に流れる水は全ては水受け部材３で受け止められ排水されることになる。また、漏水が無くなり建物開口部の耐久性が飛躍的に向上する。なお、図５中、１３は、水受け部材３と建物開口部との間にいれたコーキング材である。
【００１３】
次に図６〜図８を参照して、水受け部材としての他の実施形態を説明しておく。なお、図４と同じ部材には同じ符号を使用している。
図６、図７の水受け部材３Ａは、図４に示す水受け部材３の左右ポケット４を形成する立壁６をそれぞれ延長し連続したものとして形成し、またサッシ枠１の下枠１ｂの下方に突出しているフランジ１ｃを固定する立壁７は水受け部材の中央部に独立して形成した例である。この水受け部材３Ａの場合には、上述した開口部に設ける結合部材が不要になるが、水受け部材を接着材等を利用して開口部に固定する必要がある。
また、図８の水受け部材３Ｂは、ポケットの形状を単純化したものであり、サッシ枠の下部をそのまま収納できるようにしたものである。
【００１４】
以上、本実施形態の一例を説明したが、水受け部材としては図示した形状のものに限定されることなく、サッシ枠の下部を収納でき、また建物開口部に納まりよく取り付ける形状をし、本例と同様の機能を達成できるものであれば、種々の形態のものを採用することができる。例えば、ポケットの形状、立壁７の高さや長さ等は適宜変更することができる。また収納という語句は，サッシ枠の下方に流下する水滴を水受け部材に確実に受けることができるようにサッシ枠下部を支持できる構成であれば、サッシ枠下部の全部を水受け部材内に収納する必要はなく、下部の一部を収納できる形態であればよい。またサッシ枠と水受け部材の固定方法等も本例に限定されるものではない。
さらに、本発明はその精神又は主要な特徴から逸脱することなく他の色々な形で実施することができる。また、前述の実施例はあらゆる点で単なる例示に過ぎず、限定的に解釈してはならない。
【００１５】
【発明の効果】
以上に述べたように本発明によれば、建設時にサッシ窓、サッシドア、サッシ引き戸等のサッシ枠の下部に、サッシ枠とは別に成形した水受け部材を予め取り付けておき、その水受け部材にサッシ枠下部を収納できるようにしたため、サッシの縦枠等を伝わって来る雨水を水受け部材で受けて確実に排水することができ、サッシ枠下部の水切りを完全なものとすることができる。また長期間の使用によりコーキング材が劣化、あるいはサッシのネジ締め付け不良、締め付け不足等による漏水があったとしても、水受け部材で確実に漏水を受けることにより、室内への漏水を完全に防止することができる、優れた効果を奏することができる。
【図面の簡単な説明】
【図１】本発明の水受け部材を窓開口部に取り付けた状態の正面図である。
【図２】本発明の水受け部材の斜視図である。
【図３】建物開口部、水受け部材、サッシ枠の組み立て分解図である。
【図４】水受け部材とサッシ枠との取り付けた状態に於ける平面図および正面図である。
【図５】図４中のＡ−Ａ断面矢視図である。
【図６】他の実施形態に係る水受け部材とサッシ枠との取り付けた状態に於ける平面図および正面図である。
【図７】図６中のＢ−Ｂ断面矢視図である。
【図８】他の実施形態に係る水受け部材とサッシ枠との取り付けた状態に於ける平面図である。
【図９】従来のサッシ枠取り付け状態の正面図である。
【図１０】従来のサッシ枠取り付け状態の下部断面図である。
【符号の説明】
１　　　　　サッシ枠
２　　　　　引き戸
３　　　　　水受け部材
４　　　　　ポケット
５　　　　　フランジ
６　　　　　立壁
７　　　　　立壁
８　　　　　外壁側端面
９　　　　　溶接
１０　　　　　結合部材
１１　　　　　凹部
１２　　　　　柱
【図１】
2004011319.tif 000003
【図２】
2004011319.tif 000004
【図３】
2004011319.tif 000005
【図４】
2004011319.tif 000006
【図５】
2004011319.tif 000007
【図６】
2004011319.tif 000008
【図７】
2004011319.tif 000009
【図８】
2004011319.tif 000010
【図９】
2004011319.tif 000011
【図１０】
2004011319.tif 000012